(57)【要約】  患者の搬送および訓練補助装置（１００）は、リフトユニット（１２）が取り付けられたシャーシ（１０）を含む。リフトユニット（１２）は、リフトアームアセンブリ（１１５）と、シャーシ（１０）に固定されたアクティブ足支持アセンブリ（１１１）とを含む。装置（１００）は、リフトアームアセンブリ（１２５）およびアクティブ足支持アセンブリ（１１６）のモータを操作する制御ユニット（１５０）を含む。患者は、足支持アセンブリ（１１１）を作動させて、足支持アセンブリ（１１１）の振動運動を提供することができ、それにより、患者の回復およびリハビリを補助することができる筋肉調整および訓練を提供することができる。また、装置（１００）は、ある場所から別の場所への患者の搬送を助けるために使用することもできる。装置（１００）は、様々な形態の患者支持および訓練を提供するために、様々な異なる態様で使用することができる。【選択図】図３
2018511452.tif 000002
【特許請求の範囲】
【請求項１】
患者の搬送および訓練を行う装置であって、
ユーザを搬送するための移動シャーシと、
前記シャーシから上方に延びる支持構造体と、
前記支持構造体から延びる、当該装置を移動させるための少なくとも１のハンドルと、
足支持アセンブリとを備え、
前記足支持アセンブリが、作動時に振動する動力付きフットプレート部材を含むことを特徴とする装置。
【請求項２】
請求項１に記載の装置において、
動力付きリフト機構をさらに備え、当該動力付きリフト機構が、少なくとも１のリフトアームアセンブリと、前記少なくとも１のリフトアームアセンブリを昇降させるように動作するアクチュエータとを備え、前記少なくとも１のリフトアームアセンブリが、前記支持構造体から延びて、人を座った姿勢から起立姿勢に引き起こすのを補助することを特徴とする装置。
【請求項３】
請求項２に記載の装置において、
前記少なくとも１のリフトアームアセンブリが、少なくとも１のリフトアームおよびそれに接続されたユーザアーム支持体を備えることを特徴とする装置。
【請求項４】
請求項２に記載の装置において、
前記動力付きリフト機構のリフトアームアセンブリが、第１および第２のリフトアームを含み、これらリフトアームがともに、ユーザアーム支持体に回動可能に連結されていることを特徴とする装置。
【請求項５】
請求項４に記載の装置において、
前記第１および第２のリフトアームが、引き起こされる人から離れる使用時の方向に上向きに傾斜した位置から、前記ユーザアーム支持体が前記リフト機構により持ち上げられるときの実質的に水平な位置へと、前記ユーザアーム支持体を移動させるように配置されていることを特徴とする装置。
【請求項６】
請求項２乃至５の何れか一項に記載の装置において、
前記少なくとも１のリフトアームアセンブリが、第１および第２の軸の周りに回動可能であり、前記第１の軸は、実質的に固定され、かつ前記第２の軸よりも前記少なくとも１のリフトアームアセンブリの突出端からさらに離れており、使用時においては、作動装置が前記少なくとも１のリフトアームアセンブリを昇降することを特徴とする装置。
【請求項７】
請求項２乃至６の何れか一項に記載の装置において、
前記リフトアームアセンブリが、ユーザが係合できるユーザアーム支持体に連結されたハンドグリップをさらに含むことを特徴とする装置。
【請求項８】
請求項１乃至７の何れか一項に記載の装置において、
前記動力付きリフト機構が、引き起こされる人から離れる使用時の方向にほぼ上方に傾斜して延びるガイド経路を規定することを特徴とする装置。
【請求項９】
請求項８に記載の装置において、
前記ガイド経路が、直線状、曲線状、Ｓ字状または実質的にＳ字状であることを特徴とする装置。
【請求項１０】
請求項１乃至９の何れか一項に記載の装置において、
座った人を起立姿勢またはほぼ起立姿勢に持ち上げるのを少なくとも補助するために、前記リフト機構に接続可能なスリングが設けられていることを特徴とする装置。
【請求項１１】
請求項２乃至１０の何れか一項に記載の装置において、
前記動力付きリフト機構および／または前記足支持アセンブリを制御するための制御ユニットをさらに備えることを特徴とする装置。
【請求項１２】
請求項１乃至１１の何れか一項に記載の装置において、
前記少なくとも１のハンドルが、前記支持構造体の上端部またはその隣接位置に配置されていることを特徴とする装置。
【請求項１３】
請求項１乃至１２の何れか一項に記載の装置において、
前記支持構造体から横方向に延びて前記動力付きフットプレート部材の上方に延在する脚支持体をさらに備え、前記脚支持部材がユーザの脚の一部に当接するように構成されていることを特徴とする装置。
【請求項１４】
請求項１乃至１３の何れか一項に記載の装置において、
前記動力付きフットプレート部材が、当該装置に取り外し可能に連結されていることを特徴とする装置。
【請求項１５】
請求項１乃至１４の何れか一項に記載の装置において、
前記動力付きフットプレート部材が片持ち構造を有することを特徴とする装置。
【請求項１６】
請求項１乃至１５の何れか一項に記載の装置において、
前記動力付きフットプレート部材が、当該装置に移動可能に連結され、前記動力付きフットプレート部材が、ユーザを支持するために伸張される第１位置と、格納のために前記移動シャーシおよび／または支持構造体の空間内に後退する第２位置との間で移動可能となっていることを特徴とする装置。
【請求項１７】
請求項１乃至１６の何れか一項に記載の装置において、
前記動力付きフットプレート部材を駆動するためのモータが、前記支持構造体および／または移動シャーシによって部分的に規定される空間内に配置されていることを特徴とする装置。
【請求項１８】
請求項１乃至１６の何れか一項に記載の装置において、
前記足支持アセンブリが、フットプレートベースをさらに備え、前記動力付きフットプレート部材が、前記フットプレートベース上に配置されて前記フットプレートベースに連結されていることを特徴とする装置。
【請求項１９】
請求項１８に記載の装置において、
前記動力付きフットプレート部材を駆動するためのモータが、前記フットプレートベース、支持構造体および／または移動シャーシのうちの一つの中に少なくとも部分的に配置されていることを特徴とする装置。
【請求項２０】
請求項１８または１９に記載の装置において、
前記フットプレートベースが、前記フットプレート部材に取り外し可能に連結されていることを特徴とする装置。
【請求項２１】
請求項１８至２０の何れか一項に記載の装置において、
前記フットプレートベースが、１またはそれ以上の車輪を備えることを特徴とする装置。
【請求項２２】
請求項１３に記載の装置において、
前記脚支持体が非作動位置に格納可能であることを特徴とする装置。
【請求項２３】
請求項１至２２の何れか一項に記載の装置において、
前記足支持アセンブリが、単一または２の動力付きフットプレート部材を含むことを特徴とする装置。
【請求項２４】
請求項２３に記載の装置において、
前記装置が、共通または別個の駆動されるフットプレート部材を含むことを特徴とする装置。
【請求項２５】
請求項１至２４の何れか一項に記載の装置において、
ユーザの身長に適合するように前記支持構造体が調節されるように、前記支持構造体の長さが調節可能であることを特徴とする装置。
【請求項２６】
請求項１至２５の何れか一項に記載の装置において、
前記シャーシが、２つの平行または実質的に平行な脚部を含み、それぞれが各端部に隣接する車輪を支持し、前記脚部が、それらの前端よりも後端でより小さな距離だけ離間され、それにより、前記脚部の後端が椅子の脚または車椅子の内側を通ることが可能となっていることを特徴とする装置。
【請求項２７】
請求項１に記載の装置を使用する方法において、
ユーザの足が前記動力付きフットプレート部材上に配置されたときに、前記動力付きフットプレートを作動させて振動させるステップを含むことを特徴とする方法。
【請求項２８】
患者の搬送および訓練を行う装置を使用する方法であって、前記装置が、ユーザを搬送するための移動シャーシと、作動時に振動する動力付きフットプレート部材を含む足支持アセンブリとを備え、
前記方法が、ユーザの足が前記動力付きフットプレート部材上に配置されたときに、前記動力付きフットプレートを作動させて振動させるステップを含むことを特徴とする方法。
【請求項２９】
請求項２８に記載の方法において、
約５ヘルツと約４０ヘルツとの間の周波数で前記動力付きフットプレート部材を振動させるステップをさらに含むことを特徴とする方法。
【請求項３０】
請求項２８または２９に記載の方法において、
約１ｍｍと約５ｍｍとの間の振幅で前記動力付きフットプレート部材を振動させるステップをさらに含むことを特徴とする方法。
【請求項３１】
請求項２８または２９に記載の方法において、
前記動力付きフットプレート部材を、定常状態で振動させるか、または振動周波数および／または振幅を変化させるステップをさらに含むことを特徴とする方法。
【請求項３２】
請求項２８乃至３１の何れか一項に記載の方法において、
ユーザが前記装置に隣接する椅子に座り、ユーザの足が前記動力付きフットプレート部材上に位置し、前記動力付きフットプレート部材が振動しているときにユーザが前記装置のハンドグリップを掴んでいることを特徴とする方法。
【請求項３３】
請求項２８乃至３２の何れか一項に記載の方法において、
前記装置の動力付きリフト機構を使用して、ユーザを座った姿勢から起立姿勢に引き起こすステップをさらに含むことを特徴とする方法。
【請求項３４】
請求項３３に記載の方法において、
前記装置の脚支持体を格納するステップをさらに含み、前記脚支持体は、ユーザの脚に当接するとともに、ユーザが起立姿勢に引き起こされた後にユーザを座った姿勢から起立姿勢に引き起こすのを補助するように構成されていることを特徴とする方法。
【請求項３５】
請求項２８乃至３４の何れか一項に記載の方法において、
前記動力付きフットプレート部材が振動している間に、前記動力付きフットプレート部材の上に立つステップをさらに含むことを特徴とする方法。
【請求項３６】
請求項３５に記載の方法において、
ユーザの胴体の周りにスリングを固定することによって、前記動力付きフットプレート部材上に立つユーザを支持するステップをさらに含むことを特徴とする方法。
【請求項３７】
請求項３５または３６に記載の方法において、
ユーザが、振動する動力付きフットプレート部材上に立っている間に、前記装置のハンドグリップを把持することを特徴とする方法。
【請求項３８】
請求項３５に記載の方法において、
ユーザが、振動する動力付きフットプレート部材上に立っているときに、前記装置のいずれの部分にも支持されず、かつ前記装置のいずれの部分も把持しないことを特徴とする方法。
【請求項３９】
請求項２８乃至３８の何れか一項に記載の方法において、
ユーザが、振動する動力付きフットプレート部材上に立っている間に、移動装置を使用してユーザを搬送するステップをさらに含むことを特徴とする方法。
【請求項４０】
請求項２８乃至３９の何れか一項に記載の方法において、
前記装置を使用することによって、ユーザの筋肉を強化すること、ユーザのバランスを改善すること、および／または筋肉またはバランスの障害または異常の改善、発生防止または治療を行うステップをさらに含むことを特徴とする方法。
【請求項４１】
請求項２８乃至４０の何れか一項に記載の方法において、
前記方法が、請求項１乃至２６の何れか一項に記載の装置を使用することを含むことを特徴とする方法。
【発明の詳細な説明】
【技術分野】
【０００１】
本開示は、コミュニティケア、老人ホームまたは養護施設、病院および医療施設および施設介護内の日常生活における人々の移動補助および搬送のための、並びに移動訓練、理学療法およびリハビリのための、患者の搬送および訓練補助器具に関する。
【０００２】
本開示は、２０１５年３月６日に出願された欧州特許出願第１５１５８０７６．８号に対する優先権を主張する。この出願は、その全体が引用により本明細書に援用されるものである。
【背景技術】
【０００３】
高齢者や衰弱した人々が歩くのを助けるために歩行器を提供することはよく知られている。それら歩行器は、一般に、車輪上に取り付けられたフレーム状の構造体を備えている。フレーム状の構造体は、ユーザが掴むことができるハンドルまたはハンドルバーを含む。そのような歩行器は、自分で起立姿勢に立ち上がることができる人や、補助により歩行することができる人によって使用される。しかしながら、それらの歩行器は、筋肉またはバランストレーニングに適合した動的な足支持体を有していない。
【０００４】
また、自力で起立および／または歩行することができない人を支援するために、移動式の病人用ホイストを提供することもよく知られている。このようなホイストは、患者を起立姿勢またはほぼ起立姿勢に引き起こすのを容易にし、患者がある場所から別の場所に搬送される間、そのような姿勢で患者を支持することができる。従来の病人用ホイストは、概して、移動シャーシと、シャーシから起立した支持構造体と、支持構造体から突出するリフトアーム装置であって、座った患者の背中の周囲および患者の腕の下に配置された身体支持スリングを取り付けるための横方向に間隔を空けた取付点を提供するリフトアーム装置と、リフトアームおよび患者を起立姿勢に持ち上げるリフト機構とを備える。そのようなホイストの一つが英国特許出願第２，１４０，７７３号に開示されている。そのようなホイストは、英国特許出願第２，１４０，７７３号に示されるように、固定されたフットレストを有することがあるが、このような固定されたフットレストは、筋肉およびバランストレーニングのための動的な治療を提供しない。
【０００５】
先に、本出願人は、患者リフトおよび搬送装置を開発しており、その一部が欧州特許出願第１，０２９，５２４号および英国特許出願第２，３１８，３２９号に記載されている。それら装置は、自力で起立姿勢に立ち上がることができるが歩行器の補助を受けても歩行することができない人によって使用されるのに特に適している。英国特許出願第２，３１８，３２９号に開示された装置は、移動シャーシと、シャーシから起立する支持構造体と、シャーシに支持されたフットプレートと、フットプレートの上方の膝当てと、支持構造体によって支持された手支持体と、２つのシート部品とを含み、当該部品は、座った人が手支持体を握ってフットプレート上で起立姿勢または実質的に起立姿勢に自分を持ち上げることができる非動作位置と、人の足がフットプレート上にあり、膝が膝当てに押し当てられている状態でシート部品によって人が支持されるように、起立しているときに人のシートの背部にある動作位置との間で移動可能となっている。これらの装置は、患者のリフトおよび搬送装置として非常に成功している。
【０００６】
本開示は、患者の搬送および患者の効果的な筋肉訓練の両方を可能にし、患者の回復の改善に繋がる、これらの装置および類似の装置に対する改良に関する。
【発明の概要】
【０００７】
本開示の例示的な実施形態によれば、患者の搬送および訓練を行う装置が提供され、この装置は、ユーザを搬送するための移動シャーシと、前記シャーシから上方に延びる支持構造体と、前記支持構造体から延びる、当該装置を移動させるための少なくとも１のハンドルと、足支持アセンブリとを備える。前記足支持アセンブリは、作動時に振動する動力付きフットプレート部材を含む。この振動は、フットプレート部材上に位置するユーザに動的振動治療を送達するために使用することができる。
【０００８】
この装置は、引き起こし、支持、搬送を同時に行って、患者のバランスおよび／または筋肉トレーニングを可能にすることができ、それにより、患者の回復および移動性を高めることができる。
【０００９】
この装置は、駆動されるフットプレート部材および／またはリフト機構の動作を制御するための制御ユニットを含むことができる。一実施形態では、制御ユニットはユーザ入力要素を含み、入力されたコマンドに基づいて可変制御を提供することができる。
【００１０】
この装置の脚支持体は、着脱可能で、かつ／または非作動位置に格納可能であってもよい。
【００１１】
例示的な実施形態において、この装置は、動力付きリフト機構をさらに備え、当該動力付きリフト機構が、少なくとも１のリフトアームアセンブリと、前記少なくとも１のリフトアームアセンブリを昇降させるように動作する作動装置とを備える。リフトアームアセンブリは、第１および第２の軸周りに回動可能であり、前記第１の軸が、実質的に固定され、かつ前記第２の軸よりもリフトアームの突出端からさらに離れており、使用時においては、作動装置がリフトアームを昇降する。
【００１２】
この装置は、引き起こされる人から離れる使用時の方向にほぼ上方に傾斜するガイド経路を含むことができる。前記ガイド経路は、直線状、曲線状、Ｓ字状または実質的にＳ字状とすることができる。
【００１３】
有利には、座った人を起立姿勢またはほぼ起立姿勢に持ち上げるのを少なくとも補助するために、前記リフト機構に接続可能なスリングが設けられる。
【００１４】
この装置は、持ち上げられる人の腕を支持するためのハンドグリップまたはグリップを含むことができる。
【００１５】
一実施形態では、リフト機構が、２つのリフトアームを含み、それらリフトアームの両方が、アーム支持体に回動可能に連結されている。２つのリフトアームは、有利には、引き起こされる人から離れる使用時の方向に上向きに傾斜した位置から、アーム支持体が前記リフト機構により持ち上げられるときの実質的に水平な位置へと、アーム支持体を移動させるように配置される。
【００１６】
別の実施形態では、リフト機構が１またはそれ以上のリフトアームを含み、各リフトアームが、それらに連結されたユーザアーム支持体を含む。
【００１７】
有利には、手支持体の１つまたはそれぞれが、起立する支持構造体の上端部またはその隣接位置に設けられる。
【００１８】
足支持アセンブリは、単一のフットレストまたは一対のフットレストを含むことができ、そのフットレストが、共通のまたは別個の駆動されるフットプレート部材を含む。一実施形態では、動力付きフットプレート部材が、装置に取り外し可能に連結されるものであってもよい。フットプレート部材は、片持ち構造を有するものであってもよい。別の実施形態では、フットプレート部材は、地面と直接接触するものであってもよく、かつ／または、フットプレートベースに取り外し可能に連結されるか、かつ／または支持されるものであってもよい。任意選択的には、フットプレートベースは、移動を容易にするために１またはそれ以上の車輪を含むことができる。一実施形態では、フットプレート部材は、装置に移動可能に連結されるものであってもよく、このフットプレート部材が、ユーザを受け入れるか、かつ／または支持するために伸張される第１位置と、格納のために移動シャーシおよび／または支持構造体の空間内に後退する第２位置との間で移動可能となっている。フットプレート部材を駆動するためのモータは、フットプレートベース、支持構造体および／または移動シャーシによって部分的に規定される空間内に配置されるものであってもよい。
【００１９】
支持構造体は、ユーザの身長に適合するように調整できるよう、長さを調節可能であってもよい。
【００２０】
好都合なことに、シャーシが、２つの平行または実質的に平行な脚部を含み、それぞれが各端部またはその隣接位置で車輪またはキャスタを支持し、脚部が、それらの前端よりも後端でより小さな距離だけ離間され、それにより、脚部の後端が椅子の脚または車椅子の内側を通ることが可能となっている。
【００２１】
本開示の例示的な実施形態によれば、搬送および訓練を行う装置を使用する方法が提示される。装置は、ユーザを搬送するための移動シャーシと、作動時に振動する動力付きフットプレート部材を含む足支持アセンブリとを含む。この方法は、ユーザの足が動力付きフットプレート部材上に配置されたときに、動力付きフットプレートを作動させて振動させるステップを含む。フットプレート部材は、約５ヘルツと約４０ヘルツとの間の周波数および／または約１ｍｍと約５ｍｍとの間の振幅で振動するように駆動されるものであってもよい。また、フットプレート部材は、定常状態で、または振動周波数および／または振幅を変化させながら、振動するものであってもよい。
【００２２】
使用中は、ユーザが前記装置に隣接する椅子に座り、ユーザの足が動力付きフットプレート部材上に配置され、フットプレート部材が振動している間にユーザが前記装置のハンドグリップを直接掴むようにしてもよい。この方法は、装置の動力付きリフト機構を使用して、ユーザを座った姿勢から起立姿勢に引き起こすステップをさらに含むことができる。ユーザの脚に当接するように構成された前記装置の脚支持体は、ユーザが起立姿勢になった後に格納されるようにしてもよい。前記方法は、治療目的での使用のために、ユーザが振動するフットプレート部材の上に立つステップをさらに含むことができる。任意選択的には、ユーザが振動するフットプレート部材の上に立っている間に、スリングがユーザの胴体の周りに固定されるようにしてもよい。また、ユーザは、振動するフットプレート部材上に立っている間に、前記装置のハンドグリップを把持することもできる。また、ユーザは、スリングまたは前記装置の他の構成要素によって支持されることなく、ハンドグリップを把持することもなく、振動するフットプレート部材上に立つこともできる。前記方法は、ユーザが、振動するフットプレート部材上に立っている間に、２つの位置の間でユーザを同時に搬送するステップをさらに含むことができる。例示的な実施形態では、この方法は、前記装置を使用することによって、ユーザの筋肉を強化すること、ユーザのバランスを改善すること、および／または筋肉またはバランスの障害または異常の改善、発生防止または治療を行うステップをさらに含むことができる。この方法は、本明細書中に記載の搬送および訓練補助器具のいずれかを用いて達成することができる。
【００２３】
その他の特徴および利点は、以下の説明から明らかになるであろう。
【図面の簡単な説明】
【００２４】
以下に、添付の図面を参照して、本開示の実施形態を単なる例示として以下に説明する。
【図１】図１は、患者の搬送および訓練補助器具の例示的な実施形態の側面図である。
【図２】図２は、図１の装置の側面図であり、人が起立姿勢に自分を引き起こす過程において搬送および訓練補助器具を握っている状態を示している。
【図３】図３は、患者の搬送および訓練補助器具の別の実施形態の概略斜視側面図であり、患者が座った姿勢で装置と係合している状態を示しており、患者の胴体がスリングによって支持され、下肢が脚支持体／膝当ておよび動作中の足支持アセンブリの一部に係合している。
【図４】図４は、図３の装置の別の斜視側面図であり、患者が車椅子に座ったときに装置に係合している状態を示している。
【図５】図５は、図３の装置の斜視側面図であり、患者がフットプレート部材上で起立姿勢にあり、バランスおよび筋肉のトレーニングを受けている間に、装置のハンドグリップを掴み、スリングによって支持されている状態を示している。
【図６】図６は、図３の装置の斜視側面図であり、患者がフットプレート部材上で起立姿勢にあり、バランスおよび筋肉のトレーニングを受けている間に、装置のハンドグリップを掴んでいる状態を示している。
【図７】図７は、図３の装置の斜視側面図であり、バランスおよび筋肉のトレーニングを受けている間に、患者がスリングによって固定され、フットプレート部材上でハンズフリーの起立姿勢にある状態を示している。
【図８】図８は、図３の装置の斜視側面図であり、バランスおよび筋肉のトレーニングを受けている間に、患者が、その他のサポート無しに、フットプレート部材上で独立して立っている姿勢にある状態を示している。
【発明を実施するための形態】
【００２５】
先ず、図１を参照すると、同図に示されている多機能型の患者の搬送および訓練装置１は、移動シャーシ１０と、アクティブ足支持アセンブリ１１と、シャーシ１０から起立する支持構造体１２と、逆Ｕ字形ブラケット１４上に取り付けられた２つのアーム支持体１３と、アーム支持体１３を昇降させるリフト機構１５とを備えている。
【００２６】
シャーシ１０は、クロスメンバまたはベース１７から延出してこれに接続された２本の脚部１６（図１の側面図では第２脚部は見えない）を備えている。脚部１６は、両端部にキャスタ１８を有し、それらが平行に間隔を空けた関係にある図示の位置から、それらの自由端部に向けて広がる位置まで、ベース１７に対して回動可能となっている。リフトユニットとして構成された本体または支持構造体１２は、ベース１７と一体化されても、ベースの一部を形成しても、かつ／またはベースに連結されるものであってもよい。
【００２７】
２本の脚支持体または膝当て１９は、アーム２０によって支持され、アームは、シャーシ１０に取り付けられたブラケット２１に取り外し可能に連結されている。膝当て１９は、水平軸２２を中心に回動可能にアーム２０に連結され、圧縮ばね２３によって（図１に示すように）垂直またはほぼ垂直の位置に付勢されている。以下の図３−図８の実施形態でより詳細に図示されかつ説明されているアクティブ足支持アセンブリ１１は、アーム２０と一体化されるか、またはアームに取り外し可能に連結されるものであってもよい。一実施形態では、アクティブ足支持体１１は、患者の搬送および訓練装置からそれ自体独立して取り付けまたは取り外すことができる。装置に連結されて（例えば、ベース１７および／または支持構造体１２に取り付けられて）作動されると、足支持体１１が動的に動いて振動するように機能し、それが、アクティブ足支持体１１上に立っている人を動かし、かつ振動させる。このように操作される足支持体１１は、足、脚および／または全身の振動を人に与えて足および脚を強化するための治療装置として使用することができる。この治療は、患者のリフトおよび搬送装置が静止している間に、または搬送中に行われるものであってもよい。非作動モードでは、足支持体１１は、患者を支持して搬送するための静的表面を提供する。別の実施形態では、アクティブ足支持体１１が、膝当て１９に接続され、単一のユニットとして患者のリフトおよび搬送装置に取り付けられ、そこから取り外されるものとすることができる。一実施形態では、足支持体１１および膝当て１９を同時に振動させることができる。足支持体１１が、単独でまたは膝当て１９と一緒に、患者のリフトおよび搬送装置から取り外されるとき、リフト装置は、別のタイプのリハビリ補助器具、すなわち患者のリフトおよび／または歩行支援補助器具として使用することができる。さらに別の実施形態では、患者の搬送および訓練装置の足支持体１１および／または膝当て１９は、使用されていないときに、ベース１７および／または支持構造体１２内に格納することができる。支持構造体１２のベースは、使用されていないときに、第１状態において、アクティブ足支持体１１が単独でまたは膝当て１９とともに後退および格納されるキャビティを含むことができる。第２状態では、足支持体１１および／または膝当て１９は、ベース１７および／または支持構造体１２から伸張され、その上に人を安全に支持するために伸長位置でロックされる。
【００２８】
リフト機構１５は、２のリフトアーム２５、２６と、動力駆動のリニアアクチュエータ２７、典型的には、スミスインダストリーズ社によりＳｉｎｇｌｅ  Ａｃｔｉｎｇ  Ｅｌｅｃｔｒｏｈｙｄｒａｕｌｉｃ  Ａｃｔｕａｔｏｒ  １０２７４０として製造販売されているタイプのモータ駆動油圧アクチュエータと、２つの離間したガイドプレート２８（図１の側面図では第２のガイドプレートは見えない）とを含む。
【００２９】
ガイドプレート２８は、シャーシ１０と支持構造体１２の上端との間に固定されている。各ガイドプレート２８は、細長いガイドスロット２９を有する。図示した実施形態では、これらは直線状スロットであるが、曲線状またはＳ字状スロットであってもよい。スロット２９は、持ち上げられる人から離れる方向に上方に傾斜している。一実施形態では、スロット２９は、持ち上げられる人が最初に概ね前方向に移動し、次に概ね上方向に移動するように配置することができる。
【００３０】
アクチュエータ２７は、その下端において、２つのガイドプレート２８間の水平軸３０を中心に回動可能に連結されている。
【００３１】
下側リフトアーム２６は、その突出端で二股になっており、そこで、ブラケット１４に回動可能に連結され、また、他端が、直立支持構造体１２によって支持されたピボットピン３１を中心に回動可能に連結されている。また、下側リフトアーム２６は、アクチュエータ２７の延伸部分に回動可能に連結されており、２つのガイドスロット２９（図１の側面図では第２のガイドスロットは見えない）にそれぞれ配置された２つのローラ３２を有する。上側リフトアーム２５は、その突出端がブラケット１４に、他端がアクチュエータ２７の延伸部分に回動可能に連結されている。
【００３２】
下側リフトアーム２６は、ピン３１とアクチュエータ２７の延伸部分との両方に回動可能に連結されているため、これらの２つのピボットの一方に対してこのリフトアーム２６の動きが制限されることがあることが理解されよう。この制限された動きは、ピボットピン３１を受け入れるための下側リフトアーム２６内の細長いスロットによって、ピボットピン３１に対して与えられる。
【００３３】
アクチュエータ２７の延伸部分およびピボットピン３１を中心に下側リフトアーム２６を回動させて、ローラ３２をガイドスロット２９に沿って案内することは、ピボットピン３１のみを中心に回動したとした場合にリフトアーム２６の外側端部が回動して通る円弧を平らにする効果を有する。このため、ブラケット１４は、直進経路に近い経路に沿って持ち上げられ、その結果、椅子のアームレスト上にある手の下向きの圧力を使用して、座った姿勢から自ら身体を持ち上げるときに人が起立する仕方と非常に似たよう形になる。これは、弓状経路に沿って人を持ち上げる従来の方法とは対照的であり、より快適なリフトを提供すると考えられる。
【００３４】
２つのリフトアーム２５及び２６は、アクチュエータ２７とブラケット１４との間に平行四辺形リンクを形成することができるが、それらリフトアームは、ブラケット１４を移動させ、それによってアーム支持体１３を、ブラケット１４およびアーム支持体１３がリフト機構１５によって持ち上げられる際に、リフトアームが持ち上げられる人から離れる使用時の方向に上向きに傾斜した位置から、リフトアームが実質的に水平になる位置に、またはその位置に向けて、移動させるように配置させることができる。これは、２つのアーム２５，２６とブラケット１４との間の回動可能な接続部を、２つのアーム２５，２６とアクチュエータ２７との間の回動可能な接続部よりも互いに接近させることによって達成されるものであり、また、リフト装置が、同じ長さのリフトアームを有する他の場合と比べて、より背の高い人を起立姿勢またはほぼ起立姿勢に昇降させることができるという利点を有する。
【００３５】
アーム支持体１３は、持ち上げられる人の前腕および上腕の少なくとも一部を支持するために、概ねＬ字形である。各アーム支持体にはハンドグリップ３３が設けられており、持ち上げられる人の肘がほぼＬ字形のアーム支持体１３の２つのアーム間の接合部に接触して載るように、各ハンドグリップ３３の位置を調整可能である。アーム支持体１３は、人の腕を支えるような形状とされており、さらに快適になるように詰め物が与えられている。
【００３６】
人の腕を適所にしっかりと保持するために、典型的には面ファスナ手段を有する解放可能なストラップ（図示せず）をアーム支持体１３に設けることができる。
【００３７】
また、スリング３４も設けられている。スリング３４は、織布材料で作られており、スリング３４の中央部分には、快適になるように詰め物が与えられてる。スリング３４は、各端部にコード３５を有し、ブラケット１４には、２本のコード３５をそれぞれ受け入れるための２つのジャムクリート３６（図２に示される）が設けられている。これにより、スリング３４の有効長さを調節することができる。
【００３８】
ブラケット１４のアームの自由端の間に調整可能なストラップ（図示省略）を設けて、持ち上げられる人がブラケット１４内に入るのを防止することができる。
【００３９】
支持構造体１２の上端部に１またはそれ以上のハンドル３８を設けて、付添人が床上でリフト装置を押すことを可能にするようにしてもよい。図１に示す実施形態では、支持構造体１２の上端に２つのハンドル３８（第２ハンドルが第１ハンドルにより隠れている）を配置することができ、それを付添人が両手で握って、搬送および訓練装置１の操縦および移動の指示を行うことができる。
【００４０】
ここで、図２の図面を参照すると、同図に示す装置は、アーム支持体１３およびブラケット１４が、上下のアーム２５，２６の両方に回動可能に連結されたスリング支持体４０によって置き換えられている点で、図１に示す装置と異なる。スリング支持体４０は、持ち上げられる人の背中の周囲および脇の下を通るスリング３４を支持するために、２つの横方向に離間したスリング取付点４１を有する。この場合、人はスリングのみによって支持される。
【００４１】
使用時には、持ち上げられる人が座る椅子の両側をシャーシ１０の脚部１６が跨ぐ状態で、多機能患者搬送訓練装置を座っている人に隣接して配置することができる。患者を起立姿勢に引き起こすために、人は、膝当て１９に膝を当てて足支持体１１上に足を載せるようにしてもよい。その後、人は、アーム支持体１３に腕を置き、ハンドグリップ３３を把持する。その後、解放可能なストラップ（設けられている場合）を、看護師または他の付添人によってアーム周囲の定位置に固定することができる。その後、座っている人の腰部の周囲にスリング３４が配置されて、ジャムクリート３６に連結される。その後、上体制御を提供するとともに人が左右に揺れないようにするアーム支持体１３を持ち上げる。人が起立姿勢に立ち上がると、膝当て１９がバネ２３の付勢力に抗して回動し、患者の膝が僅かに前方に移動する。人が起立姿勢またはほぼ起立姿勢に達すると、バネ２３は膝当て１９および人の膝を後方に持ち上げるように促す。足支持体１１上のこの最初の起立姿勢において、装置は患者を搬送するために使用することができる。把持ハンドル３８を掴んで、付添人または介護者は、患者を所望の場所に運ぶために、装置を押し、引っ張り、または装置の移動を指示することができる。
【００４２】
歩行練習を支援するためのリハビリ補助器具として搬送および訓練装置を使用する場合、あるモードでは、患者を持ち上げる前に、足支持体１１を除去するか、かつ／または、支持構造体１２のベース内に引き込むことができる。人が起立姿勢に引き起こされると、膝当て１９は、取り除かれるか、かつ／または、支持構造体１２のベース内に引き込まれて、患者が歩くための空間を作り出すことができる。このように、この装置は、患者がアーム支持体１３および／またはスリング３４を保持してそれらにより支持される間、歩行補助器具として使用することができる。
【００４３】
別の治療モードでは、搬送および訓練装置を使用して、バランスおよび／または筋肉トレーニングを提供することができる。例えば、車椅子に座っている患者、または当該装置に隣接して着席姿勢で配置された患者は、片足または両足を足支持体１１上に置くことができる。患者の脚および足を収容するための追加の空間を提供するために、このような治療目的での使用中に、膝当て１９は、取り除かれるか、かつ／または支持構造体１２内に格納されるものであってもよく、また、脚部１６は、ベース１７および足支持体１１から離れる方向にテーパが付けられるように回動されるものであってもよい。このような状態において、足支持体１１の振動は、患者が座っている間に患者の下腿の筋肉を強化する機能を果たす。また、患者は、起立姿勢へと立ち上がり、筋肉強化およびバランストレーニングの補助器具として足支持体１１を使用することができる。足支持体１１が振動すると、患者は、支持のためにアーム支持体１３およびハンドグリップ３３と係合することができる。必要に応じて、支持を追加するために、スリング３４を、患者の背中の周囲に固定することもできる。膝当て１９は、治療目的での使用中に追加の空間を提供するために、取り除かれるか、かつ／または支持構造体１２内に格納されるようにしてもよく、あるいは、患者の位置決めまたは支持を補助するために拡張されるようにしてもよい。高度なバランスおよび筋肉トレーニングのために、患者は、すべての支持体（例えば、膝当て１９、スリング３４、アーム支持体１３、ハンドグリップ３３）を取り外すか、かつ／または取り除くこともできる。また、この装置は、必要に応じて、バランスおよび筋肉トレーニングを行いながら、同時に患者を搬送することもできる。
【００４４】
ここで図３−図８を参照すると、搬送および訓練補助器具の別の実施形態が示されている。後述する搬送および訓練補助器具のアクティブ足支持アセンブリ１１１は、患者に運動および筋肉調整を提供することができ、また、図１および２の搬送および訓練装置内に組み込むこともできる。これは、弱い患者がより速く回復し、強度とバランスを構築することを可能にするとともに、持ち上げおよび装置の支持体の保持を提供する。本明細書中の教示は、図１および図２に示される装置の正確な構造に限定されるものではなく、例えば、本明細書中にその全体が引用により援用される本出願人の先願である英国特許出願第２，３１８，３２９号に開示されている種類の同様の患者リフトおよび搬送装置に同様に組み入れることができることを理解されたい。一実施形態では、膝支持体は格納式または可動式であり、それは、アクティブ足支持機能がもはや必要ではない場合に、患者が膝支持体を押すことなく、患者が起立することを可能にする。
【００４５】
図３−図８は、図１および図２に示す実施形態とは僅かに異なる部分を有する例示的な患者の搬送および訓練補助器具を示している。具体的に、図３−図８の実施形態において、搬送および訓練補助器具１００は、図１−図２のリフト機構１５と同様および／または同一のリフト機構を有する。図３−図８に示す実施形態のリフト機構は、リフトアームアセンブリ１１５と、リフトアームアセンブリ１１５を作動させて、患者を座った姿勢と起立姿勢との間で移動させるのを補助するアクチュエータとを含む。リフトアームアセンブリ１１５は、図１および図２の二重台形リフトアーム構成ではなく、一対のリフトアーム１２５を含む。リフトアーム１２５は、Ｕ字形の構成を形成する共通の横部材によって互いに連結され、この横部材は、本体または支持構造体１２内のリフトモータ（図示省略）に連結されたロッド要素１２６に連結されている。ロッド要素１２６は、患者を持ち上げるのを補助するために、支持構造体１２の下端から上端に延びる垂直スロットに沿って移動する。リフトアーム１２５の自由端は、患者係合用に構成された一対のアーム支持部材１２４に連結されるようにしてもよい。アーム支持部材１２４は、リフトアーム１２５に回動可能および／または固定的に接合することができる。一実施形態では、左右のアーム支持部材１２４は、ユーザがアーム支持部材１２４を互いに独立に自由に位置決めすることができるように、リフトアーム１２５に回動可能に連結することができ、それにより、装置１００上での把持および全体的な安定性を促進することができる。患者は、アーム支持部材１２４上に前腕を置いて、そこから垂直上方に延びる一対のハンドル１５２を把持することができる。いくつかの実施形態では、ハンドル１５２は、スイッチ、ダイヤルなどのような制御ユニット１５０用の入力要素を含むことができる。アーム支持部材１２４の遠位端は、Ｕ字型フレームを形成する横部材を介して互いに接続されてもよく、一実施形態では、アーム支持部材１２４のＵ字形フレームが、リフトアーム１２５のＵ字形フレームと酷似したものとすることができる。例示的な実施形態では、ハンドル１５２および／または制御ユニット１５２を、アーム支持部材１２４の横部材に取り付けて、当該横部材から上方に延在させることができる。別の実施形態では、アーム支持部材１２４および連結する横部材を、患者を係合するためのＵ字形のトレイまたはプレート状の構成を有するプラットフォームと置き換えることができる。これに対して、ハンドル１５２および／または制御ユニット１５２を取り付けることができる。他の実施形態では、搬送および訓練装置１００は、図１及び図２に示す実施例と同様又は同一の台形アーム構成を有することができる。図３−図８の実施形態のリフトアームアセンブリ１１５および図１−図２のリフトアームアセンブリは、患者の座った姿勢から起立姿勢への移行を容易にするために電動式とされている。
【００４６】
以下で明らかになるように、リフトアーム１２５は、図１および図２の実施例に非常に類似した方法で、患者を支持および支援するために、下降および上昇させることができる。しかしながら、他の実施形態では、装置１００に、英国特許出願第２，３１８，３２９号に開示されたタイプのハンドグリップを備えた固定アーム構成を設けることができることが排除されるものではない。
【００４７】
図３に最もよく示されるように、装置１００は、患者の膝、脛および／または下腿を支持するための１または２の膝及び／又は脚支持パッドを含む脚支持体または膝支持体１１９も有することができる。一実施形態では、膝支持体１１９は、図１および図２の実施例の膝支持体１９と同一または同様の構造を有することができる。図３に示す実施形態では、膝支持体１１９は、膝支持体１９と構造および／または機能が同様の構成を有することができ、膝支持体１１９は、患者の脛に係合するための２つの別個の同じ輪郭のパッドを有する。膝支持体１１９の２つの輪郭のパッドは、膝支持体１１９を高さ調節可能にする支持要素１２１に取り付けることができ、さらに、後方および前方に、特に係合位置と後退位置の間で移動させることができ、後退位置では、後述するように、患者の膝を支持することはなく、特に、アクティブ足支持アセンブリを使用するときに患者の足および脚を収容する追加の空間を提供するのに有用である。一実施形態では、膝支持体１１９のパッドは、不使用時の保管のために、支持要素１２１の周りに一緒に折り畳まれて、図４に示す長手方向のスロットまたはキャビティなど、支持構造体１２内に格納されるものであってもよい。別の実施形態では、支持要素１２１をスロット内に格納することができ、一方、患者の脛を受け入れるために開形態で配置された膝支持体１１９は、支持構造体１２の患者対向面の外側に隣接して配置されて、患者が膝支持体１１９を必要とするときに使える状態とすることができる。
【００４８】
装置１００は、フレームまたはシャーシ１０と、付添人把持ハンドル３８を有するリフトユニットとして構成された本体または支持構造体１２とを含み、すべてが、図１および図２の実施形態と同一または同様の構造および特性を有している。図３に良く示されているように、付添人把持ハンドル３８は、搬送および訓練補助器具１００の把持および移動を容易にするために、支持構造体１２の上端の上方および周囲にアーチ状に架かるＵ字形の形態を有することができる。当業者であれば分かるように、他の実施形態において、フレーム、支持構造体および付添人把持ハンドルは、英国特許出願第２，３１８，３２９号に開示されている装置と同様の構造および特性を有することができ、あるいは、患者を座った姿勢から起立姿勢または半起立姿勢にするのを補助し、その後、装置１００上である位置から別の位置に搬送することを可能にする他の適当なフレームワークまたは構造を有することができる。
【００４９】
装置１００は、ユーザの筋肉を強化すること、および／またはバランスを改善することなどによって、ユーザに理学療法を提供するように機能するアクティブ足支持体１１１を含む。以下に述べる足支持体１１１の同一または類似の構成要素、構造、特徴および機能は、図１および図２のアクティブ足支持体１１に組み込むことができる。図３−図８に示すように、アクティブ足支持アセンブリ１１１は、以下、フットプレート部材１０９と称する、１またはそれ以上の患者係合上部プレートを含み（図４、図６および図８に最もよく示される）、このフットプレート部材は、足支持アセンブリ１１１内のモータ（図示省略）によって駆動されるとともに、移動または振動するように作動させることができる。一実施形態では、アクティブ足支持アセンブリ１１１は、１または２の動力付きフットプレート部材１０９を含むことができ、このフットプレート部材は、各フットプレート部材１０９を個別に独立して制御するための共通のアクチュエータおよび／または別個のアクチュエータを有することができる。別の実施形態では、アクティブ足支持アセンブリ１１１は、１またはそれ以上のフットプレート部材であって、その上にユーザが起立することができるフットプレート部材１０９と、フットプレート部材１０９を振動させるための対応するモータとを含むことができ、かつ／またはそれらから実質的に構成することができる。フットプレート部材１０９は、ベース１７および／または支持構造体１２から延びる片持ちプレートとして構成することができ、あるいは、搬送および訓練装置１００を支持する地面、床面またはその他の表面と係合する支持部材または下面を含むことができる。そのような支持部材は、地面に対して静的支持を提供するか、または装置１００とともにアクティブ足支持アセンブリ１１１の移動を容易にする車輪またはキャスタを有することができる。アクティブ足支持アセンブリ１１１およびその構成要素は、装置１００と一体化されるか、装置１００に取り外し可能に接続されるか、かつ／またはベース１７および／または支持構造体１２のキャビティ、空間または中空部内に格納可能に受け入れられるようにすることができる。別の実施形態では、アクティブ足支持アセンブリ１１１は、フットプレート部材１０９の下に配置されて当該フットプレート部材を支持するフットプレートベース１０７を含むことができる。フットプレートベース１０７は、フットプレート部材１０９と一体的であっても、あるいは取り外し可能に取り付けられるものであってもよい。フットプレートベース１０７の下面は、地面と直接接触して、フットプレート部材１０９の上に立つ患者の安定性および支持を提供することができる。フットプレートベース１０７は、地面に対して静的な支持を提供するようにしても、あるいは任意選択的には、移動を容易にするために、その下面にキャスタまたは車輪を含むようにしてもよい。アクティブ足支持アセンブリ１１１およびその構成要素は、装置１００、すなわちベース１７および／または支持構造体１２と一体的であっても、取り外し可能に連結されるものであってもよい。一実施形態では、フットプレート部材１０９および／またはフットプレートベース１０７は、不使用時の保管のために、ベース１７および／または支持構造体１２のキャビティ、空間または中空部内に格納されるようにしてもよい。
【００５０】
例示的な実施形態では、フットプレート部材１０９と動作可能に関連付けられたアクティブ足支持アセンブリ１１１のモータは、フットプレートベース１０７内に、あるいは支持構造体１２および／またはベース１７内に収容することができる。フットプレート部材１０９は、例えば、約５−約４０ヘルツの比較的低い周波数、および約１−約５ｍｍの振幅で振動するように構成することができる。一実施形態では、足支持アセンブリ１１１は、振動周波数および／または振幅の安定した状態、または可変振動効果を提供する可変シーケンスの何れかにおいて、約５−約４０ヘルツの範囲内の任意の選択された周波数、および約１−約５ｍｍの範囲の選択された振幅のいずれか１つで、フットプレート１０９を振動させるよう選択的に制御可能である。例示的な実施形態では、足支持アセンブリ１１１のモータおよびフットプレート１０９は、筋力トレーニングを提供し、筋肉のリハビリを行い、かつバランスおよび／または姿勢を改善するのに効果的な、ユーザの脚部および／または胴部における大きな筋肉群の治療的活性化を提供するのに適合する周波数で、振動するように構成することができる。別の実施形態では、足支持アセンブリ１１１のモータおよびフットプレート１０９は、骨粗鬆症の予防、筋萎縮の軽減または回復、骨盤筋のような筋肉の構築および／または強化、筋収縮の改善、筋性起始の疾患の治療、腰痛の緩和、改善および／または治療、血液循環の改善、並びに、失禁の改善および／または治療に、治療上および効果的に適合する周波数で、振動するように構成することができる。
【００５１】
アクティブ足支持アセンブリ１１１は、装置１００の患者のリフトおよび搬送構成要素と協働して、起立および移動する能力を回復する患者の治療だけでなく、筋肉調整および強化に寄与する大きな筋肉群の活性化も補助する。また、アクティブ足支持アセンブリ１１１は、反射ベースの筋肉刺激および身体姿勢トレーニングを提供することもできる。全体として、装置１００は、患者の回復およびリハビリを容易にし最適化するために、患者の筋力、バランスおよび改善された身体姿勢を構築するのを支援することができる。特に、これら図面に示すタイプのアクティブ足支持アセンブリ１１１の提供は、固定化および傷害後の筋力トレーニング、骨粗鬆症の予防、バランストレーニングおよび転倒防止、調整トレーニング、筋萎縮、背部痛、血行不良、骨盤筋トレーニング、緊張性尿失禁治療、筋性起始の疾患、筋肉収縮のうちの何れか１またはそれ以上に有用なものである。
【００５２】
したがって、患者の搬送および訓練補助器具１００は、患者の病院滞在期間を短縮し、患者がより強くなるのを助けてリハビリ期間を短縮し、かつ、複数の付添人および／または専門の理学療法士が治療的筋力およびバランストレーニングを与える必要性を低減するのを助ける。装置１００は、非理学療法士が患者を訓練することを可能にするとともに、座った姿勢と起立姿勢の両方において、振動筋肉構築およびバランストレーニング運動は、図３−図８に示すように、かつ以下にさらに詳細に説明するように、ユーザの日課の一部とすることができる。後で明らかになるように、患者は、回復期間および回復期の間に必要とされるサポートの様々な程度およびリハビリ訓練の難易度のレベルをカスタマイズすることができる。
【００５３】
装置１００は、制御ユニット１５０も含み、この制御ユニットは、患者によって制御可能であるとともに、アクティブ足支持アセンブリ１１１および／またはリフトアームアセンブリ１１５、特にそのモータユニットに動作可能に関連付けられ、連結されている。制御ユニット１５０は、足支持アセンブリ１１１およびリフトアームアセンブリ１１５をいつ作動させるべきか、並びに、起動を調整できる場合に、所望通りにこれをいつ調整すべきかを、ユーザが制御するのを可能にする適当なユーザ入力部を含む。制御ユニット１５０は、患者が選択することができる複数の格納されたまたは格納可能な運動ルーチンおよびシーケンスを含むことができ、さらに、例えば、足支持アセンブリ１１６が作動されるかどうかのみならず、各フットプレート部材１０９の振動周波数および／または振幅をどうするか等、装置の正確な設定を患者が制御することを可能にする１またはそれ以上の制御ボタン、ダイヤルまたはその他の入力部を含むことができる。一実施形態では、２つの別個のフットプレート部材１０９について、かつ／または単一のフットプレート部材１０９の異なる領域（例えば、左領域および右領域）について、振動設定を独立して制御およびカスタマイズすることが可能である。制御部は、同時に、かつ／または相応して、ユーザアーム支持体１２４を上下または左右に回動運動させることができる。
【００５４】
装置１００は、バランスを取る患者の強さおよび能力に応じて、リハビリ訓練中に患者に複数の程度の支持を提供することができる。図３−図８に例が示されている。先ず、図３および図４を参照すると、これらは、通常は椅子に拘束されている患者によって装置１００がどのように利用され得るかを示している。図３および図４から明らかなように、患者は、ハンドル１５２を把持して制御ユニット１５０を制御できるような形で、足をアクティブ足支持アセンブリ１１６上に置くことができ、それにより、アクティブ足支持アセンブリ１１６を動作させてフットプレート部材１２０を振動させ、筋肉調整および運動を提供することができる。特に図４から明らかなように、同図に示される実施形態のアセンブリ１００は、車椅子の患者に対するアクセスを可能にするために互いに対して外側に広がるシャーシ部材１０を有する。足支持アセンブリ１１６は、適切なストラットまたは他の固定機構によってフレームまたはシャーシ１０に固定されることが理解されよう。
【００５５】
図５および図６を参照すると、これら図に示された患者は、より動くことができ、特に、リフトアームアセンブリ１２５に固定されたハンドル１５２を把持しながら、座った姿勢から立ち上がることができる。図５において、患者は、スリング３４によっても支持されており、このスリングは、当業者が見てすぐに分かる種類の適当なフックまたは他の固定要素によってリフトアームアセンブリ１２５に固定することができる。患者は、図６に示すように、スリングを取り外して、バランスおよび／または筋力リハビリ訓練中の難易度をさらに高めることもできる。この状態では、患者が、トレーニングにおいて再び立ち上がって起立した状態を保つのを補助されるだけではなく、アクティブ足支持アセンブリ１１１を介して追加の調整および運動を提供することもできる。装置１００は、この構成において、リハビリ訓練を提供するために使用されるだけではなく、患者を装置１００上で支持した状態で、ある位置から別の位置に患者を搬送するために使用することもでき、この場合、患者の搬送中に、患者の望み通りに、また患者が望むときにアクティブ足支持アセンブリ１１６を停止させることができる。作動停止は、制御パネル１５０を介して患者または介護者によって、または別個の制御入力部を介して介護者によって、行うことができる。別個の制御入力部は、図面には示されていないが、当業者にすぐに分かる構成および構造を有することができる。介護者制御ユニットは、例えば、装置１００の直立部分１２上に配置されるものであっても、あるいは遠隔制御装置であってもよい。
【００５６】
図７において、患者は、ハンドル１５２を把持することなく、アクティブフットプレートアセンブリ１１１によって提供される筋肉強化およびバランストレーニングに参加することができる。図示のように、リハビリ訓練中に支持を提供するために、スリング３４を患者の胴体の周りに固定することができる。
【００５７】
図８において、装置１００は、アクティブ足支持アセンブリ１１６によって提供される調整および運動のみから恩恵を得るために、より能力のある患者、特に、スリング３４によって支持される必要がなく、ハンドル１５２から手を離すことができる独立して起立可能な患者を補助するものとして示されている。
【００５８】
訓練および／または患者の搬送が、図３−図８に示されているものの中間にある他の構成で行うこともできることは容易に理解されるであろう。
【００５９】
本明細書中の教示は、図面に示され、上述された装置の具体的な構造に限定されるものではなく、様々な患者ハンドリングおよび搬送装置に組み込むことができ、それには、例えば、ＡｒｊｏＨｕｎｔｌｅｉｇｈ  Ｓａｒａ  Ｃｏｍｂｉｌｉｚｅｒ（商標）、Ｓａｒａ  Ｐｌｕｓ（商標）、Ｓａｒａ  ３０００（商標）、Ｓａｒａ  Ｌｉｔｅ（商標）およびＳａｒａ  Ｓｔｅｄｙ（商標）リハビリ、起立、立ち上がりおよび／または搬送装置が含まれる。
【００６０】
上述した実施形態では、足支持アセンブリ１１１を、装置の一体部分となるように、装置１００に固定するようにしてもよい。また、足支持アセンブリ１１６は、例えば、当該アセンブリに固定要素が形成された取り付け可能な形態とすることもでき、それによりアセンブリ１１１を既存の患者搬送装置に組み込むことができるようにすることも考えられる。例えば、図１および図２の実施例を考慮すると、足支持体１１を取り除いて、本明細書中に教示されたアクティブ足支持アセンブリ１１１と交換することも可能である。このようにして、開示されたシステムの追加の機能性を提供するために、既存の患者搬送装置を変更することが可能である。
【００６１】
上述した実施形態は単なる例示として与えられているものであり、本開示の範囲から逸脱することなく、当業者によって様々な変更がなされ得る。例えば、搬送補助器具は、収納および搬送を容易にするために折り畳み可能に設計することができる。
【００６２】
記載した実施形態および従属請求項のすべての任意の特徴および変更は、本明細書中で教示される開示のすべての態様において使用可能である。さらに、従属請求項の個々の特徴、ならびに記載した実施形態のすべての任意の特徴および変更は、互いに組み合わせ可能であり、かつ互いに置換可能である。
【００６３】
本出願に添付の要約書における開示は、引用により本明細書中に組み込まれる。
【図１】
2018511452.tif 000003
【図２】
2018511452.tif 000004
【図３】
2018511452.tif 000005
【図４】
2018511452.tif 000006
【図５】
2018511452.tif 000007
【図６】
2018511452.tif 000008
【図７】
2018511452.tif 000009
【図８】
2018511452.tif 000010
【国際調査報告】
2018511452.tif 000011
2018511452.tif 000012